(57)【特許請求の範囲】
【請求項１】
外周フレームに複数の貫通孔が設けられた建築用パネルを懸吊する吊り治具であって、
該吊り治具は、前記貫通孔に係合するフックと、該フックが配設される一対の長尺部材とを備え、
該一対の長尺部材は、ばね部材を介して離接可能に連結され、
前記一対の長尺部材を離間させることにより、前記フックが前記貫通孔に係合可能な位置まで移動するとともに、前記一対の長尺部材を当接方向に移動させ、前記フックが前記貫通孔に係止することを特徴とする吊り治具。
【請求項２】
前記長尺部材は複数のブロック部材からなり、該複数のブロック部材にはフックを備えてなるものを含むことを特徴とする請求項１記載の吊り治具。
【請求項３】
前記長尺部材の一方の連結部側の端部には、係止部材と、該係止部材に連結される軸部材と、該軸部材に連結される重りとからなるストッパーが配設され、前記一対の長尺部材が離間することにより、前記軸部材が前記係止部材及び前記重りの重みにより回動し、前記係止部材が前記長尺部材の間に位置することを特徴とする請求項１または２記載の吊り治具。
【請求項４】
前記係止部材は段部を有し、前記長尺部材の離間距離に応じて１つ以上の段部が前記長尺部材の間に位置することを特徴とする請求項３記載の吊り治具。
【請求項５】
ばね部材を介して離接可能に連結された一対の長尺部材を離間させ、
該長尺部材に形成されたフックを建築用パネルに形成された貫通孔に挿入し、
前記一対の長尺部材を当接方向に移動させて、前記フックを前記貫通孔に係止させ、
前記一対の長尺部材を上昇させることにより前記壁パネルを懸吊したことを特徴とする建築用パネルの懸吊方法。
【請求項６】
ばね部材を介して離接可能に連結された一対の長尺部材を離間させ、
該離間した一対の長尺部材の間に係止部材を介在させて、前記長尺部材の離間状態を維持し、
該長尺部材に形成されたフックを建築用パネルに形成された貫通孔に挿入し、
前記係止部材を取り除き、前記長尺部材を当接方向に移動させて、前記フックを前記貫通孔に係止させ、
前記長尺部材を上昇させることにより前記壁パネルを懸吊したことを特徴とする建築用パネルの懸吊方法。
【発明の詳細な説明】
【０００１】
【発明の属する技術分野】
本発明は、吊り治具に関し、特に、壁パネルなどの建築用パネルを安定した状態で確実に吊り上げ移動させることができ、また建築用パネルへの取り付け及び取り外しも容易な吊り治具及び該吊り治具を用いた建築用パネルの吊り上げ方法に関する。
【０００２】
【従来の技術】
住宅等の建物を建設するにあたっては、工場にてできるだけ部品完成度を高め、建築現場での作業項目を減少させるためにパネル工法の導入が進められている。  例えば、パネル工法による建物の外壁は、複数の壁パネルを所定位置に配列することにより形成されるものである。このパネル工法においては、パネルを所定位置に組み込む際、一般的に、パネルをクレーン等で吊り上げて移動させている。
【０００３】
上記のように、建築用パネルとして、例えば壁パネル１４０を懸吊して所定の位置まで移動させるためには、例えば図２３に示すように、壁パネル１４０の上部フレーム１４１にアイボルト１４２を取り付け、このアイボルト１４２にクレーン（図示せず）のワイヤ１４３を連結させることにより、壁パネル１４０を懸吊して所定位置まで移動させる方法が知られている。
【０００４】
なお、上記従来例において、アイボルト１４２は、壁パネル１４０の上部フレームに取着されたプロジェクションナット（図示せず）を利用して取り付けられている。プロジェクションナットは、壁パネル１４０を、胴差等の他部材と連結するために、壁パネル１４０の上部に溶接等により予め取り付けられているものである。
【０００５】
【発明が解決しようとする課題】
しかし、上記従来の方法では、壁パネル１４０を懸吊する前のアイボルト１４２の取り付け、および壁パネル１４０を懸吊した後のアイボルト１４２の取り外しに手間がかかるという問題があった。また、大型のパネルを懸吊する場合は、アイボルト１４２に過大な荷重がかかり、安定してパネルを懸吊することができないという不都合があった。
【０００６】
本発明の目的は、吊り上げ対象物としての建築用パネルを安定した状態で確実に吊り上げて移動させることができ、建築用パネルへの取り付け及び取り外しも容易に行うことが可能な吊り治具及びこれを用いた建築用パネルの吊り上げ方法を提供することにある。
【０００７】
【課題を解決するための手段】
上記課題は、本発明請求項１による吊り治具によれば、外周フレームに複数の貫通孔が設けられた建築用パネルを懸吊する吊り治具であって、該吊り治具は、前記貫通孔に係合するフックと、該フックが配設される一対の長尺部材とを備え、該一対の長尺部材は、ばね部材を介して離接可能に連結され、前記一対の長尺部材を離間させることにより、前記フックが前記貫通孔に係合可能な位置まで移動するとともに、前記一対の長尺部材を当接方向に移動させ、前記フックが前記貫通孔に係止する、ことにより解決される。
【０００８】
このように、本発明の吊り治具は、壁パネル等の建築用パネルの外周フレームに形成された貫通孔に、フックを係止させて吊り上げるように構成されている。フックは、一対の長尺部材を離間させることにより、貫通孔に整合する位置まで移動し、長尺部材を当接方向に移動させることにより、貫通孔に係止される。したがって、従来のように、建築用パネルにアイボルト等の部材を取り付けたり、または建築用パネルを所定の位置に移動させた後、アイボルトを取り外す手間がなくなり、作業効率を向上させることが可能となる。
【０００９】
さらに、壁パネルと吊り治具とを、アイボルト等の他部材を介することなく、直接連結させて懸吊しているので、壁パネルを安定した状態で確実に吊り上げることが可能となる。
【００１０】
また、吊り治具は、複数のブロック部材を組合せることにより形成されているので、ブロック部材の個数や、組合せ方により、さまざまな大きさの壁パネルに対応することが可能となる。
【００１１】
上記長尺部材の一方には、連結部側の端部に、係止部材と、該係止部材に連結される軸部材と、該軸部材に連結される重りとからなるストッパーが配設され、前記一対の長尺部材が離間することにより、前記軸部材が係止部材及び重りの自重により回動し、前記係止部材が前記長尺部材の間に位置するように構成されている。
【００１２】
このように、長尺部材が離間するだけで、長尺部材間に係止部材が介在し、長尺部材の離間状態が維持されるように構成されているので、長尺部材を離間させる作業と、長尺部材の離間を維持するための作業とを同時に行うことが可能となる。
【００１３】
なお、長尺部材の間に挟持される係止部材について、段部を有するように形成し、前記長尺部材の離間距離に応じて１つ以上の段部が前記長尺部材の間に位置するように構成すると、徐々に長尺部材を離間させることができ好適である。すなわち、一度に大きな力を加えずに、係止部材を１段ずつ係合させながら、長尺部材を少しずつ離間させることが可能となる。
【００１４】
また上記課題は、本発明請求項５による建築用パネルの懸吊方法によれば、ばね部材を介して離接可能に連結された一対の長尺部材を離間させ、該長尺部材に形成されたフックを建築用パネルに形成された貫通孔に挿入し、前記一対の長尺部材を当接方向に移動させて、前記フックを前記貫通孔に係止させ、前記一対の長尺部材を上昇させることにより前記壁パネルを懸吊することにより解決される。
【００１５】
さらに上記課題は、本発明請求項６による建築用パネルの懸吊方法によれば、ばね部材を介して離接可能に連結された一対の長尺部材を離間させ、該離間した一対の長尺部材の間に係止部材を介在させて、前記長尺部材の離間状態を維持し、該長尺部材に形成されたフックを建築用パネルに形成された貫通孔に挿入し、前記係止部材を取り除き、前記長尺部材を当接方向に移動させて、前記フックを前記貫通孔に係止させ、前記長尺部材を上昇させることにより前記壁パネルを懸吊することにより解決される。
【００１６】
このように、長尺部材を離間または近接させることにより、吊り治具のフックを建築用パネルの貫通孔に係合させ、長尺部材をクレーン等により上昇させることにより、建築用パネルを懸吊しているので、建築用パネルに懸吊のための部材を取り付けたり、建築用パネルを所定の位置に移動させたあと、懸吊のための部材を取り外したりする必要がなく、効率良く作業を進めることができる。
【００１７】
また、一対の長尺部材を離間または近接させるだけで、吊り治具のフックを建築用パネルの貫通孔に係合させたり、係止させたりすることができるので、例えば、しのやバール等の棒部材を作業工具として用いることにより、建築用パネルから離れた位置からでも、吊り治具の取り外しを行うことが可能となる。
【００１８】
【発明の実施の形態】
本発明の吊り治具Ｓは、建築用パネル、例えば壁パネル４０の懸吊に用いられるものである。本例の吊り治具Ｓにより懸吊される壁パネル４０の外周フレーム４１には、複数の貫通孔４２が設けられている。
【００１９】
吊り治具Ｓは、貫通孔４２に係合するフック２０と、フック２０が配設される一対の長尺部材１０,１０とを備えている。また、一対の長尺部材１０,１０は、ばね部材３０を介して離接可能に連結されている。
【００２０】
一対の長尺部材１０,１０を離間させることにより、フック２０が壁パネル４０の貫通孔４２に係合可能な位置まで移動するように構成されている。さらに、貫通孔４２にフック２０を係合させた後、一対の長尺部材１０,１０を当接方向に移動させることにより、フック２０が貫通孔４２に係止される。
【００２１】
なお、長尺部材１０,１０を、複数のブロック部材１３を連結した構成とすることにより、ブロック部材１３の数や、組合せにより、さまざまな大きさの壁パネル４０に対応することが可能となる。
【００２２】
また、長尺部材１０,１０の一方には、ストッパー３１が配設されている。ストッパー３１は、係止部材３１ａと、軸部材３１ｂと、重り３１ｃとから構成されている。ストッパー３１は、長尺部材１０,１０が離間したときに、係止部材３１ａ及び重り３１ｃの自重により軸部材３１ｂが回動し、係止部材３１ａが長尺部材１０,１０の間に位置し、長尺部材１０,１０の離間状態を維持するように構成されている。なお、係止部材３１ａに段部３１ｄを設けておくことにより、長尺部材１０,１０の離間距離に応じて、段部３１ｄが１つずつ係合していき、長尺部材１０,１０を徐々に離間させることができ、大きな力を加えなくても、長尺部材１０,１０間を離間させることが可能となる。
【００２３】
上記吊り治具Ｓを用いて、壁パネル４０を懸吊するときは、一対の長尺部材１０,１０を離間させ、それぞれの長尺部材１０に形成されたフック２０を壁パネル４０の外周フレーム４１に形成された貫通孔４２に挿入し、長尺部材１０,１０を当接方向に移動させて、フック２０を貫通孔４２に係止させ、長尺部材１０,１０を上昇させることにより壁パネル４０を懸吊する。
【００２４】
【実施例】
以下、本発明の一実施例を図面に基づいて説明する。なお、以下に説明する部材，配置等は本発明を限定するものでなく、本発明の趣旨の範囲内で種々改変することができるものである。
【００２５】
図１乃至図２２は本発明に係る実施例を示すものであり、図１は一対の長尺部材が離間している状態の吊り治具を示す説明図、図２は一対の長尺部材が閉じた状態の吊り治具を示す説明図、図３乃至図５は壁パネル４０とフックとの係合状態を示す説明図、図６は壁パネル４０の上部フレームを示す説明図、図７は吊り治具の要部拡大図、図８は吊り治具の要部背面図、図９は図７のＡ視図、図１０乃至図１７は吊り治具の動作を示す要部説明図、図１８乃至図２２はさまざまな大きさの壁パネル４０とこれらの壁パネル４０に用いる吊り治具を示す説明図である。
【００２６】
本発明の吊り治具Ｓは、図１に示すように、一対の長尺部材１０,１０と、長尺部材１０,１０に設けられたフック２０とから構成されている。長尺部材１０,１０は、連結部１１において、ばね部材３０を介して連結されている。
【００２７】
また、長尺部材１０,１０には、クレーン（図示せず）のワイヤロープＷが取着される複数の係合部１２が形成されている。そして、この係合部１２にワイヤロープＷを取着し、クレーンを昇降させることにより、吊り治具Ｓに取り付けられた壁パネル４０を懸吊したり、所定位置まで移動させるように構成されている。
【００２８】
次に、本例の吊り治具Ｓを構成する各部材について説明する。
本例の長尺部材１０,１０は、複数のブロック部材１３から構成されている。ブロック部材１３は、例えば、２本の丸鋼１３ａを連結部１３ｂで連結することにより形成されている。各ブロック部材１３は、隣り合うブロック部材１３の一方の丸鋼１３ａ先端部に、若干径の小さい係合部（図示せず）を設け、互いに嵌合させることにより連結されている。
【００２９】
本例の長尺部材１０,１０は、中央側に位置する第１のブロック部材１３ｃ,１３ｃと、第１のブロック部材に隣接する第２のブロック部材１３ｄ,１３ｄと、第２のブロック部材に隣接する第３のブロック部材１３ｅ,１３ｅとから構成されている。
【００３０】
上記ブロック部材１３の、壁パネル４０と接する側には、フック２０が形成されている。それぞれのフック２０は、一対の長尺部材１０,１０が互いに当接する側を向くように配設されている。
【００３１】
また、上記フック２０は、ブロック部材１３毎に異なる数で設けられている。本例では、第１のブロック部材１３ｃ,１３ｃにはフック２０は設けられておらず、第２のブロック部材１３ｄ,１３ｄには２つのフック２０が設けられている。また、第３のブロック部材１３ｅ,１３ｅには１つのフック２０が設けられている。このように、ブロック部材１３は、懸吊される壁パネル４０に設けられた貫通孔４２と、フック２０とが整合するように、使用数や種類が選択され、連結される。
【００３２】
上記のように、所定のブロック部材１３を組合せることにより、図１８〜図２２に示すように、さまざまな大きさの壁パネル４０に対応することが可能となる。例えば図１８及び図２０に示す吊り治具Ｓの長尺部材１０,１０は、短尺に形成された第１のブロック部材１３ｃ,１３ｃと、２つのフック２０を有する第２のブロック部材１３ｄ,１３ｄと、１つのフック２０を有する第３のブロック部材１３ｅ,１３ｅとを連結させて形成されている。
【００３３】
また、図１９、図２１、図２２に示す吊り治具Ｓの長尺部材１０,１０は、長尺に形成された第１のブロック部材１３ｃ,１３ｃと、２つのフック２０を有する第２のブロック部材１３ｄ,１３ｄと、１つのフック２０を有する第３のブロック部材１３ｅ,１３ｅとを連結させて形成されている。
【００３４】
なお、ブロック部材１３の形状としては、上記のように２本の丸鋼１３ａを連結部１３ｂで連結させたものに限らず、例えば中空箱形の長尺部材としても良く、或いは長尺の板状に形成しても良い、このように、ブロック部材１３は、特に形状を限定されることなく、自由に形成して良いものである。
【００３５】
上記構成からなる一対の長尺部材１０,１０は、図７に示すように、第１のブロック部材１３ｃ,１３ｃが互いに向き合うようにして配置され、ばね部材３０を介して離間可能に連結されている。
【００３６】
なお、本例では、丸鋼１３ａからなるブロック部材１３を用いているので、図１１に示すように、第１のブロック部材１３ｃ,１３ｃの一方に、若干径の小さい係合部１３ｇを設け、他方の第１のブロック部材１３ｃを嵌合させることにより、長尺部材１０,１０を摺動可能に連結することができる。
【００３７】
なお、図１１に示すように、上記第１のブロック部材１３ｃ,１３ｃの一方に設けられた係合部１３ｇに、ガイド溝１３ｈを形成し、係合部１３ｇに嵌合される他方の第１のブロック部材１３ｃに孔１３ｉを設け、この孔１３ｉにガイド溝１３ｈを摺動するガイドピン(図示せず）を配設することにより、長尺部材１０,１０をスムーズに摺動させることができ好適である。
【００３８】
第１のブロック部材１３ｃ,１３ｃには、図７に示すように、ボルト等の固着部材１１ｃにより、連結部材１１ａ,１１ａが固定されている。そして、図８に示すように、ばね部材３０は、この連結部材１１ａ,１１ａの背面側に配設されている。ばね部材３０は引張コイルばねであり、左右に引っ張ることにより伸張する。
【００３９】
さらに、連結部材１１ａ,１１ａには、一対の長尺部材１０,１０が閉じているときに、互いに接触する壁部１１ｂ,１１ｂが立設されている。なお、この壁部１１ｂ,１１ｂに連続するように、連結部材１１ａの下側に位置する丸鋼１３ａの当接側端部にも壁部１３ｆを設けた構成とすると、長尺部材１０,１０間を離間させるときに、工具を係合させるポイントが多くなり、長尺部材１０,１０を開き易くすることができ好適である。
【００４０】
さらに、長尺部材１０,１０の一方には、ストッパー３１が配設されている。ストッパー３１は、図７に示すように、係止部材３１ａと、係止部材３１ａに一方の端部が連結される軸部材３１ｂと、軸部材３１ｂの他方の端部に連結される重り３１ｃとから構成されている。
【００４１】
ストッパー３１は、壁部１１ｂ,１１ｂ上に載架されており、軸部材３１ｂと重り３１ｃは、一方の連結部材１１ａの壁部１１ｂ上で回動可能に保持されている。また、係止部材３２ａは、他方の連結部材１１ａの壁部１１ｂ上に載置されている。なお、壁部１１ｂ,１１ｂに、図１４に示すような面１１ｄを設けることにより、係合部材３１ａを安定して載置することができ好適である。
【００４２】
ストッパー３１は、一対の長尺部材１０,１０が離間したときに、係止部材３１ａが自重で長尺部材１０,１０間側へ下降し、さらに係止部材３１ａ及び重り３１ｃの自重で軸部材３１ｂが回転し、係止部材３１ａが長尺部材１０,１０間に入り込んで、長尺部材１０,１０に挟持され、離間状態を維持するように構成されている。
【００４３】
なお、本例の係止部材３１ａは、図９に示すように、段部３１ｄを有する階段状に形成されている。このように、係止部材３１ａに段部３１ｄを設けることにより、図１１乃至図１４に示すように、一対の長尺部材１０,１０間の離間した距離に応じて、係止部材３１を、少しずつ長尺部材１０,１０間に位置させ、一度に力を加えることなく、長尺部材１０,１０間を徐々に拡開させることができる。係止部材３１ａは、上記のように階段状に形成する他、円筒形や角柱形等自由な形状に形成して良いものである。
【００４４】
さらに、一対の長尺部材１０,１０には、長尺部材１０,１０の開閉動作を補助するためのプレート３２が設けられている。プレート３２のうち、図７において、上側に位置するプレートを３２ａ、下側に位置するプレートを３２ｂとする。プレート３２ａは、図７における右側の長尺部材１０に連結されており、プレート３２ｂは、左側の長尺部材１０に連結されている。プレート３２ａと３２ｂには、ピッチの異なる複数の孔が形成されており、重なり合うように配設されている。
【００４５】
プレート３２を使用するときは、例えば図１７に示すように、プレート３２ａと３２ｂに形成された孔に棒状部材を差し込んで、プレート３２ａとプレート３２ｂの孔を一致させながら、長尺部材１０,１０を離間させたり、当接させるものである。
【００４６】
次に、上記吊り治具Ｓを用いて、建築用パネルを吊り上げる方法について説明する。本例では、建築用パネルとして、図６に示すように、外周フレームとしての上部フレーム４１に、貫通孔４２が設けられた壁パネル４０を吊り上げる例について説明する。
【００４７】
壁パネル４０の上部フレーム４１に形成される貫通孔４２は長孔で、吊り治具Ｓのフック２０を係合可能な大きさに形成されている。また、貫通孔４２の壁パネル４０内部側には、少なくとも、フック２０を挿入し、フック２０を貫通孔４２の周縁部に係合するために必要な空間が設けられている。
【００４８】
次に、上記壁パネル４０を吊り治具Ｓにより吊り上げる工程について、図３乃至図５、及び図１０乃至図１７を参照して説明する。
先ず、図１０に示すように、連結部材１１ａ,１１ａの壁部１１ｂ,１１ｂ間に、しの又はバール５０を差し込んでこじ開け、一対の長尺部材１０,１０間を離間させる。このとき、うまく開かないようであれば、プレート３２ａ及び３２ｂの孔に、しの又はバール５０を差し込み、こじることにより拡開させる。
【００４９】
長尺部材１０,１０間が離間すると、係止部材３１ａが自重で長尺部材１０,１０間側へ下降し、さらに係止部材３１ａと重り３１ｃの自重で軸部材３１ｂが回転し、係止部材３１ａが長尺部材１０,１０間に入り込んで挟持される。このとき、図１１に示すように、まず係止部材３１ａの１段目が挟持される。
【００５０】
さらに、しの又はバール５０で、壁部１１ｂ,１１ｂをこじ開け、長尺部材１０,１０間を離間させる。このようにして、図１２及び図１３に示すように、長尺部材１０,１０間に係止部材の２段目、３段目が挟持され、最終的には、図１４に示すように、係止部材３１ａの全てが長尺部材１０,１０間に挟持される。
【００５１】
長尺部材１０,１０間が所定距離離間したら、図３及び図４に示すように、壁パネル４０の貫通孔４２と、吊り治具Ｓのフック２０とを係合させる。貫通孔４２とフック２０との係合が確認されたら、係止部材３１ａを長尺部材１０,１０間から取り除き、長尺部材１０,１０を閉じる方向に作用させる。
【００５２】
長尺部材１０,１０間から係止部材３１ａを取り除くには、図１５に示すように、重り３１ｃをしの又はバール５０によって上方に回転させ、軸部材３１ｂを回転させて、係合部材３１ａを上方に移動させる。長尺部材１０,１０間から係止部材３１ａが取り除かれると、長尺部材１０,１０は、ばね部材３０の力によって、閉じる方向に移動する。
【００５３】
このとき、図１６に示すように、長尺部材１０,１０がスムーズに移動せず、引っかかって止まってしまうようなことがあれば、図１７に示すように、プレート３２ａ及びプレート２ｂの孔に、しの又はバール５０を差し込み、こじることにより、長尺部材１０,１０を閉める方向に移動させることができる。
【００５４】
このようにして、図５に示すように、壁パネル４０と吊り治具Ｓとが連結される。壁パネル４０と吊り治具Ｓとが確実に連結されていることを確認したら、クレーンを引き上げて、壁パネル４０を懸吊し、所定位置まで移動させる。壁パネル４０を所定位置まで移動させたら、図１０乃至図１４に示す工程を再度行い、壁パネル４０の貫通孔４２からフック２０を取り外す。
【００５５】
なお、上記実施例では、一対の長尺部材１０,１０を、ばね部材３０としての引張コイルばねを介して連結する構成を示したが、次に述べるように、圧縮コイルばねを用いた構成としても良い。
【００５６】
すなわち、一対の長尺部材のそれぞれを分割して、圧縮コイルばねによって連結する。一対の長尺部材が当接する端部側には、ばね部材は配設せず、一方の丸鋼に形成した係合部に、他方の丸鋼を嵌合させることにより連結する。
【００５７】
上記のように構成されているので、一対の長尺部材は、通常は圧縮コイルばねにより、当接する方向に付勢されている。そして、一対の長尺部材を離間させることにより、吊り治具のフックを、壁パネル４０の貫通孔と整合する位置まで移動させる。そして、ストッパーにより、長尺部材の離間状態を維持し、壁パネル４０の貫通鋼に、フックを挿入する。フックの挿入を確認したら、ストッパーを解除する。長尺部材は圧縮コイルばねにより、当接する方向に付勢されているので、一対の長尺部材は当接する方向に移動し、フックが貫通孔に係止される。
【００５８】
【発明の効果】
以上のように本発明の吊り治具は、壁パネル等の建築用パネルの外周フレームに形成された貫通孔に、フックを係止させて吊り上げるものであり、フックは、一対の長尺部材を離間させることにより、貫通孔に整合する位置まで移動し、長尺部材を当接方向に移動させることにより、貫通孔に係止されるように構成されている。したがって、従来のように、建築用パネルにアイボルト等の部材を取り付けたり、または建築用パネルを所定の位置に移動させた後、アイボルトを取り外す手間がなくなり、作業効率を向上させることが可能となる。
【００５９】
さらに、壁パネルと吊り治具とを、アイボルト等の他部材を介することなく、直接連結させて懸吊しているので、壁パネルを安定した状態で確実に吊り上げることが可能となる。
【００６０】
また、吊り治具は、複数のブロック部材を組合せることにより形成されているので、ブロック部材の個数や、組合せ方により、さまざまな大きさの壁パネルに対応することが可能となる。
【００６１】
また上記長尺部材の一方には、係止部材と、係止部材に連結される軸部材と、軸部材に連結される重りとからなるストッパーが配設されており、一対の長尺部材が離間することにより、係止部材が長尺部材側へ下降するとともに、軸部材が係止部材及び重りの自重により回動し、係止部材が長尺部材の間に入り込むように構成されている。このように、長尺部材が離間するだけで、長尺部材間に係止部材が介在し、長尺部材の離間状態が維持されるように構成されているので、長尺部材を離間させる作業と、長尺部材の離間を維持するための作業とを同時に進行させることができ、効率的に作業を行うことが可能となる。
【００６２】
なお、長尺部材の間に挟持される係止部材について、段部を有するように形成し、前記長尺部材の離間距離に応じて１つ以上の段部が前記長尺部材の間に位置するように構成すると、徐々に長尺部材を離間させることができ好適である。すなわち、一度に大きな力を加えずに、係止部材を１段ずつ係合させながら、長尺部材を少しずつ離間させることが可能となる。
【００６３】
また、一対の長尺部材を離間または近接させるだけで、吊り治具のフックを建築用パネルの貫通孔に係合させたり、係止させたりすることができるので、例えば、しのやバール等の棒部材を作業工具として用いることにより、建築用パネルから離れた位置からでも、吊り治具の取り外しを行うことが可能となる。
【図面の簡単な説明】
【図１】一対の長尺部材が離間している状態の吊り治具を示す説明図である。
【図２】一対の長尺部材が閉じた状態の吊り治具を示す説明図である。
【図３】壁パネルとフックとの係合状態を示す説明図である。
【図４】壁パネルとフックとの係合状態を示す説明図である。
【図５】壁パネルとフックとの係合状態を示す説明図である。
【図６】壁パネルの上部フレームを示す説明図である。
【図７】吊り治具の要部拡大図である。
【図８】吊り治具の要部背面図である。
【図９】図７のＡ視図である。
【図１０】吊り治具の動作を示す要部説明図である。
【図１１】吊り治具の動作を示す要部説明図である。
【図１２】吊り治具の動作を示す要部説明図である。
【図１３】吊り治具の動作を示す要部説明図である。
【図１４】吊り治具の動作を示す要部説明図である。
【図１５】吊り治具の動作を示す要部説明図である。
【図１６】吊り治具の動作を示す要部説明図である。
【図１７】吊り治具の動作を示す要部説明図である。
【図１８】壁パネルと壁パネルに用いる吊り治具を示す説明図である。
【図１９】壁パネルと壁パネルに用いる吊り治具を示す説明図である。
【図２０】壁パネルと壁パネルに用いる吊り治具を示す説明図である。
【図２１】壁パネルと壁パネルに用いる吊り治具を示す説明図である。
【図２２】壁パネルと壁パネルに用いる吊り治具を示す説明図である。
【図２３】従来の吊り治具を示す説明図である。
【符号の説明】
１０  長尺部材
１１  連結部
１１ａ  連結部材
１１ｂ  壁部
１１ｃ  固着部材
１１ｄ  面
１２  係合部
１３  ブロック部材
１３ａ  丸鋼
１３ｂ  連結部
１３ｃ  第１のブロック部材
１３ｄ  第２のブロック部材
１３ｅ  第３のブロック部材
１３ｆ  壁部
１３ｇ  係合部
１３ｈ  ガイド溝
１３ｉ  孔
２０  フック
３０  ばね部材
３１  ストッパー
３１ａ  係止部材
３１ｂ  軸部材
３１ｃ  重り
３２,３２ａ,３２ｂ  プレート
４０  壁パネル
４１  上部フレーム
４２  貫通孔
５０  しの又はバール
Ｓ  吊り治具
Ｗ  ワイヤ
【図１】
0004268268.tif 000002
【図２】
0004268268.tif 000003
【図３】
0004268268.tif 000004
【図４】
0004268268.tif 000005
【図５】
0004268268.tif 000006
【図６】
0004268268.tif 000007
【図７】
0004268268.tif 000008
【図８】
0004268268.tif 000009
【図９】
0004268268.tif 000010
【図１０】
0004268268.tif 000011
【図１１】
0004268268.tif 000012
【図１２】
0004268268.tif 000013
【図１３】
0004268268.tif 000014
【図１４】
0004268268.tif 000015
【図１５】
0004268268.tif 000016
【図１６】
0004268268.tif 000017
【図１７】
0004268268.tif 000018
【図１８】
0004268268.tif 000019
【図１９】
0004268268.tif 000020
【図２０】
0004268268.tif 000021
【図２１】
0004268268.tif 000022
【図２２】
0004268268.tif 000023
【図２３】
0004268268.tif 000024